(57)【要約】【課題】光波長分割多重伝送ネットワークにおいて光伝送路当たりの波長帯域を効率的に利用する。【解決手段】伝送装置１Ａは、クライアント装置２から入力したデータを光波長パス１０で伝送装置１Ｂに送信する。監視制御部４は、光波長パス１０で通信するトラフィック量が設定された値より少ない場合に、光波長パス１０の出力を停止し、管理制御装置３に停止したことを通知する。管理制御装置３は、伝送装置１Ｂに光波長パス１０の停止を通知し、伝送装置１Ｂは、光波長パス１０の出力を停止する。監視制御部４は、トラフィック量が設定した値を超えた場合に、管理制御装置３に再開要求を通知し、管理制御装置３は、空き光波長パス１０を割り当てて、伝送装置１Ａ、１Ｂに開始許可を通知する。各監視制御部４は、割り当てられた光波長パス１０の通信を開始させ、光波長パス１０を再開したことを管理制御装置３に通知する。【選択図】図１
2011229021.tif 000002
【特許請求の範囲】
【請求項１】
データ送出装置からデータを入力して、入力したデータを光波長パスで伝送する光波長分割多重伝送システムであって、
第１の多重装置は、
前記データ送出装置からデータを入力する入力手段と、
入力したデータを光波長パスで第２の多重装置に送信する第１の伝送手段と、
前記光波長パスで通信するトラフィック量の計測手段と、
前記トラフィック量が予め設定された値より少ない場合に、前記光波長パスの出力を停止する第１の制御手段と、
前記光波長パスの出力を停止した場合に、管理装置に前記光波長パスとは異なる制御通信で該停止したことを通知する通信手段と、を備え、
前記管理装置は、前記第１の多重装置および前記第２の多重装置に前記制御通信で通信する手段を備え、
前記管理装置は、前記第１の多重装置から前記光波長パスの出力を停止したことを通知された場合に、前記第２の多重装置に前記光波長パスの停止を通知し、
前記第２の多重装置は、前記停止の通知を受けた場合に、該当する前記光波長パスで伝送する第２の伝送手段を停止する第２の制御手段を備え、
前記第１の多重装置の通信手段は、前記トラフィック量が設定した値を超えた場合に、前記管理装置に再開要求を通知し、
前記管理装置は、前記再開要求を受信した場合に、空き光波長パスを前記第１の多重装置と前記第２の多重装置に割り当てて、それぞれに割り当てた前記光波長パスの情報を通知し、
前記第１の制御手段および前記第２の制御手段は、割り当てられた前記光波長パスの通信をそれぞれ前記第１の伝送手段および前記第２の伝送手段に開始させ、
前記第１の多重装置の通知手段は、前記光波長パスを再開したことを前記管理装置に通知する、
ことを特徴とする光波長分割多重伝送システム。
【請求項２】
前記第１の多重装置は、前記光波長パスの出力を停止した場合に、前記データ送出装置に停止を通知し、前記光波長パスの出力を開始した場合に、前記データ送出装置に光波長パス通信開始を通知する、指示手段を備えることを特徴とする請求項１に記載の光波長分割多重伝送システム。
【請求項３】
前記第１の多重装置は、前記光波長パスの出力を停止した場合に、前記第１の伝送手段への電力の供給を停止し、
前記第２の多重装置は、前記光波長パスの停止を通知された場合に、前記第２の伝送装置への電力の供給を停止する、
ことを特徴とする請求項１または２に記載の光波長分割多重伝送システム。
【請求項４】
データ送出装置からデータを入力する入力手段と、
入力したデータを光波長パスで送信する伝送手段と、
前記光波長パスで通信するトラフィック量の計測手段と、
前記トラフィック量が予め設定された値より少ない場合に、前記光波長パスの出力を停止する制御手段と、
前記光波長パスの出力を停止した場合に、管理装置に前記光波長パスとは異なる制御通信で該停止したことを通知する通信手段と、を備え、
前記通信手段は、前記トラフィック量が設定した値を超えた場合に、前記管理装置に再開要求を通知し、
前記制御手段は、前記管理装置から指示された割り当てられた前記光波長パスの通信を開始し、
前記通知手段は、前記光波長パスを再開したことを前記管理装置に通知する、
ことを特徴とする光波長分割多重伝送装置。
【請求項５】
前記光波長パスの出力を停止した場合に、前記データ送出装置に停止を通知し、前記光波長パスの出力を開始した場合に、前記データ送出装置に光波長パス通信開始を通知する、指示手段を備えることを特徴とする請求項４に記載の光波長分割多重伝送装置。
【請求項６】
前記光波長パスの出力を停止した場合に、前記伝送手段への電力の供給を停止することを特徴とする請求項４または５に記載の光波長分割多重伝送装置。
【請求項７】
データ送出装置からデータを入力して、入力したデータを光波長パスで伝送する光波長分割多重伝送方法であって、
第１の多重装置は、
データ送出装置からデータを入力する入力ステップと、
入力したデータを光波長パスで第２の多重装置に送信する伝送ステップと、
前記光波長パスで通信するトラフィック量の計測ステップと、
前記トラフィック量が予め設定された値より少ない場合に、前記光波長パスの出力を停止する第１の停止ステップと、
前記光波長パスの出力を停止した場合に、管理装置に前記光波長パスとは異なる制御通信で該停止したことを通知する停止通知ステップと、を備え、
前記管理装置は、前記第１の多重装置から前記光波長パスの出力を停止したことを通知された場合に、前記第２の多重装置に前記光波長パスの停止を通知し、
前記第２の多重装置は、前記停止の通知を受けた場合に、該当する前記光波長パスで伝送する第２の伝送手段を停止する第２の停止ステップを備え、
前記第１の多重装置は、前記トラフィック量が設定した値を超えた場合に、前記管理装置に再開要求を通知し、
前記管理装置は、前記再開要求を受信した場合に、空き光波長パスを前記第１の多重装置と前記第２の多重装置に割り当てて、それぞれに割り当てた前記光波長パスの情報を通知し、
前記第１の多重装置および第２の多重装置は、割り当てられた前記光波長パスの通信を開始し、
前記第１の多重装置は、前記光波長パスを再開したことを前記管理装置に通知する、
ことを特徴とする光波長分割多重伝送方法。
【請求項８】
前記第１の多重装置は、前記光波長パスの出力を停止した場合に、前記データ送出装置に停止を通知し、前記光波長パスの出力を開始した場合に、前記データ送出装置に光波長パス通信開始を通知する、指示ステップを備えることを特徴とする請求項７に記載の光波長分割多重伝送方法。
【請求項９】
前記第１の多重装置は、前記光波長パスの出力を停止した場合に、該光波長パスで送信する伝送手段への電力の供給を停止し、
前記第２の多重装置は、前記光波長パスの停止を通知された場合に、該光波長パスで伝送する伝送手段への電力の供給を停止する、
ことを特徴とする請求項７または８に記載の光波長分割多重伝送方法。
【発明の詳細な説明】
【技術分野】
【０００１】
本発明は、光波長分割多重伝送システム、光波長分割多重伝送装置および光波長分割多重伝送方法に関する。
【背景技術】
【０００２】
光波長分割多重伝送装置は、ループ形態もしくはリニア形態で接続され、複数のデジタル信号を光波長多重し、対向側で光波長ごとに分離して伝送する。光波長分割多重伝送は、Point to Point（Ｐ２Ｐ）に光波長パスを設定する。複数のクライアント装置から入力されたデジタル信号は、各々に予め割り当てられたトランスポンダにて各波長帯域の光信号に変換され、多重して１本の伝送路で伝送される。対向側の光波長分割多重伝送装置ではその受信した信号を光波長ごとに分離し、元のクライアント装置のデジタル信号に逆変換するという動作をする。
【０００３】
光波長分割多重伝送に関して、消費電力を抑える技術が提案されている。例えば特許文献１には、送信電気信号または受信光信号の有効データが送信または受信されないとき、送信電気信号の処理ブロックと発光素子モジュールへの電源供給を停止または受信光信号を電気信号に変換した後の処理回路への電源供給を停止する光モジュールが記載されている。特許文献１の光モジュールは、入力信号の状態を監視する監視回路が入力信号の停止を検出したとき、タイマ回路を介して電源回路に停止情報を伝達し、処理ブロックと発光素子モジュールへの電源供給を停止する。入力信号の状態を監視する監視回路が入力信号の再開を検出したとき、電源回路に再開情報を伝達し、処理ブロックと発光素子モジュール３への電源供給を再開する。
【０００４】
光ネットワークの帯域制御、経路設定、負荷分散などを柔軟に行うＬ２転送システムが特許文献２に記載されている。特許文献２のＬ２転送システムは、ＧＭＰＬＳネットワークをＬ２スイッチ間に介在させてＬ２ネットワークを構成する。Ｌ２スイッチのＬ２ＳＷ／ＧＭＰＬＳ連携部は、Ｌ２スイッチからＭＩＢ情報を収集してトラフィックを算出し、その結果に応じてパス情報管理データベースとＩＦ対応表を参照してＧＭＰＬＳ制御部へ波長パスの追加設定または削除を要求するとともにＬ２スイッチにＬＡＧ設定または解除を要求する。ＧＭＰＬＳ制御部は、ＧＭＰＬＳネットワークにおける波長パスを追加設定または削除する。
【０００５】
また、特許文献３には、光ＩＰネットワークの容易な拡張あるいは再構築のため、ＷＤＭ光部品の接続、追加、変更が容易なレイヤ３スイッチと、光ＩＰネットワークが記載されている。特許文献３のレイヤ３スイッチは、波長多重方式を用いた光信号により送受されるＩＰパケットをルーティングアルゴリズムにより転送する。光信号に含まれる光波長のうち固有の光波長が予め割り当てられ、割り当てられた光波長の信号をアッド、ドロップするＷＤＭ光部品と光送受信器とを含むＷＤＭモジュールと、ＷＤＭモジュールを取り付けるための１以上の取付け部を有する本体とからなる。光ＩＰネットワークは、ＷＤＭモジュール型レイヤ３スイッチとシステム制御装置からなり、前記システム制御装置は、ネットワークを経由して各ＷＤＭモジュール型レイヤ３スイッチ内の制御部に制御信号を送信し、各光スイッチの切り換えと各電源の入り切りとを制御させる。
【先行技術文献】
【特許文献】
【０００６】
【特許文献１】特開２００６−１０８９６３号公報
【特許文献２】特開２００６−１５７１０２号公報
【特許文献３】特開２００７−３０６３１６号公報
【発明の概要】
【発明が解決しようとする課題】
【０００７】
光波長分割多重装置の目的は、上流となるクライアント装置のデータトラフィックを光波長多重して伝送することにある。しかし、関連する技術の光波長分割多重伝送装置では、クライアント装置のデジタル信号のトラフィック量を意識した波長制御や省電力制御を実施していないため、クライアント装置からのトラフィック量が時間的に変動して少なくなったとしても、柔軟な波長帯域制御ができなかった。
【０００８】
関連する技術の光波長分割多重装置の課題は、使用する波長帯域が常時固定で設定されているため、時間的、場所的に変化するトラフィック量によって柔軟に帯域制御できないということである。
【０００９】
本発明は上述の事情に鑑みてなされたもので、光波長分割多重伝送ネットワークにおいて光伝送路当たりの波長帯域を効率的に利用することを目的とする。
【課題を解決するための手段】
【００１０】
本発明の第１の観点に係る光波長分割多重伝送システムは、
データ送出装置からデータを入力して、入力したデータを光波長パスで伝送する光波長分割多重伝送システムであって、
第１の多重装置は、
前記データ送出装置からデータを入力する入力手段と、
入力したデータを光波長パスで第２の多重装置に送信する第１の伝送手段と、
前記光波長パスで通信するトラフィック量の計測手段と、
前記トラフィック量が予め設定された値より少ない場合に、前記光波長パスの出力を停止する第１の制御手段と、
前記光波長パスの出力を停止した場合に、管理装置に前記光波長パスとは異なる制御通信で該停止したことを通知する通信手段と、を備え、
前記管理装置は、前記第１の多重装置および前記第２の多重装置に前記制御通信で通信する手段を備え、
前記管理装置は、前記第１の多重装置から前記光波長パスの出力を停止したことを通知された場合に、前記第２の多重装置に前記光波長パスの停止を通知し、
前記第２の多重装置は、前記停止の通知を受けた場合に、該当する前記光波長パスで伝送する第２の伝送手段を停止する第２の制御手段を備え、
前記第１の多重装置の通信手段は、前記トラフィック量が設定した値を超えた場合に、前記管理装置に再開要求を通知し、
前記管理装置は、前記再開要求を受信した場合に、空き光波長パスを前記第１の多重装置と前記第２の多重装置に割り当てて、それぞれに割り当てた前記光波長パスの情報を通知し、
前記第１の制御手段および前記第２の制御手段は、割り当てられた前記光波長パスの通信をそれぞれ前記第１の伝送手段および前記第２の伝送手段に開始させ、
前記第１の多重装置の通知手段は、前記光波長パスを再開したことを前記管理装置に通知する、
ことを特徴とする。
【００１１】
本発明の第２の観点に係る光波長分割多重伝送装置は、
データ送出装置からデータを入力する入力手段と、
入力したデータを光波長パスで送信する伝送手段と、
前記光波長パスで通信するトラフィック量の計測手段と、
前記トラフィック量が予め設定された値より少ない場合に、前記光波長パスの出力を停止する制御手段と、
前記光波長パスの出力を停止した場合に、管理装置に前記光波長パスとは異なる制御通信で該停止したことを通知する通信手段と、を備え、
前記通信手段は、前記トラフィック量が設定した値を超えた場合に、前記管理装置に再開要求を通知し、
前記制御手段は、前記管理装置から指示された割り当てられた前記光波長パスの通信を開始し、
前記通知手段は、前記光波長パスを再開したことを前記管理装置に通知する、
ことを特徴とする。
【００１２】
本発明の第３の観点に係る光波長分割多重伝送方法は、
データ送出装置からデータを入力して、入力したデータを光波長パスで伝送する光波長分割多重伝送方法であって、
第１の多重装置は、
データ送出装置からデータを入力する入力ステップと、
入力したデータを光波長パスで第２の多重装置に送信する伝送ステップと、
前記光波長パスで通信するトラフィック量の計測ステップと、
前記トラフィック量が予め設定された値より少ない場合に、前記光波長パスの出力を停止する第１の停止ステップと、
前記光波長パスの出力を停止した場合に、管理装置に前記光波長パスとは異なる制御通信で該停止したことを通知する停止通知ステップと、を備え、
前記管理装置は、前記第１の多重装置から前記光波長パスの出力を停止したことを通知された場合に、前記第２の多重装置に前記光波長パスの停止を通知し、
前記第２の多重装置は、前記停止の通知を受けた場合に、該当する前記光波長パスで伝送する第２の伝送手段を停止する第２の停止ステップを備え、
前記第１の多重装置は、前記トラフィック量が設定した値を超えた場合に、前記管理装置に再開要求を通知し、
前記管理装置は、前記再開要求を受信した場合に、空き光波長パスを前記第１の多重装置と前記第２の多重装置に割り当てて、それぞれに割り当てた前記光波長パスの情報を通知し、
前記第１の多重装置および第２の多重装置は、割り当てられた前記光波長パスの通信を開始し、
前記第１の多重装置は、前記光波長パスを再開したことを前記管理装置に通知する、
ことを特徴とする。
【発明の効果】
【００１３】
本発明によれば、管理装置によって光波長分割多重装置のトラフィック量の時間的変化を監視して、トラフィック量に合わせて光波長分割多重装置の間で使用する波長帯域を増減して調節することができる。これにより、場所的、時間的に効率よい波長帯域の使用が可能となる。
【図面の簡単な説明】
【００１４】
【図１】本発明の実施の形態に係る光波長分割多重伝送システムの構成例を示すブロック図である。
【図２】実施の形態に係る光波長分割多重伝送システムの接続形態の例を示すブロック図である。
【図３】実施の形態に係る光波長分割多重伝送システムのループ接続の例を示すブロック図である。
【図４】実施の形態に係る光波長パスを停止する手順を示すシーケンス図である。
【図５】実施の形態に係る光波長パスを再開する手順を示すシーケンス図である。
【図６Ａ】実施の形態に係る光波長分割多重伝送装置の光波長パス停止処理の動作の一例を示すフローチャートである。
【図６Ｂ】実施の形態に係る管理制御装置の光波長パス停止処理の動作の一例を示すフローチャートである。
【図６Ｃ】実施の形態に係る対向側の光波長分割多重伝送装置の光波長パス停止処理の動作の一例を示すフローチャートである。
【図７Ａ】実施の形態に係る光波長分割多重伝送装置の光波長パス再開処理の動作の一例を示すフローチャートである。
【図７Ｂ】実施の形態に係る管理制御装置の光波長パス再開処理の動作の一例を示すフローチャートである。
【図７Ｃ】実施の形態に係る対向側の光波長分割多重伝送装置の光波長パス再開処理の動作の一例を示すフローチャートである。
【発明を実施するための形態】
【００１５】
図１は、本発明の実施の形態に係る光波長分割多重伝送システムの構成例を示すブロック図である。光波長分割多重伝送システム２０は、少なくとも２台の光波長分割多重伝送装置１と、管理制御装置３とから構成される。２台の光波長分割多重伝送装置１は光波長多重伝送路９を介して対向し、光波長多重伝送路９を経由して光波長分割多重でデータを伝送する。以下、光波長分割多重伝送装置１を略して伝送装置１ともいう。図１で対向する２台の伝送装置１を便宜上、伝送装置１Ａと伝送装置１Ｂで区別する。
【００１６】
伝送装置１はそれぞれ、対向してデータを伝送する光波長分割多重伝送とは異なる通信で管理制御装置３に接続される。伝送装置１は、それぞれクライアント装置２に接続し、クライアント装置２から入力したデータを光波長分割多重で伝送し、光波長分割多重で受信したデータをクライアント装置２に供給する。
【００１７】
クライアント装置２は、例えば、端末やサーバを含むＬＡＮ（Local Area Network）である。接続ポート７は、クライアント装置２の上位通信レイヤで使用される物理インタフェース部である。接続ポート７は、クライアント伝送路８に対して信号の送受信を行う。接続ポート７は例えば、ブロードバンドルータまたはスイッチングハブである。その他、クライアント装置２は端末またはサーバなどで、接続ポート７はＩＥＥＥ  １３９４、ＳＣＳＩまたはＵＳＢなどのインタフェースポートの場合があり得る。
【００１８】
クライアント伝送路８は、伝送装置１とクライアント装置２との間でクライアント信号の送受信を行う伝送路ケーブルである。クライアント装置２が一般的なＬＡＮの場合は、ＩＥＥＥ８０２.３で標準化されている例えば１０ＢＡＳＥ−Ｔ／１００ＢＡＳＥ−ＴＸ／１０００Ｂａｓｅ−Ｔ／１０００Ｂａｓｅ−ＬＸ／１０ＧＢａｓｅ−ＬＲのような規格の伝送路である。
【００１９】
光波長分割多重伝送装置１は、Ｉ／Ｆ部６、光波長多重伝送部５および監視制御部４を備える。光波長分割多重装置１は、Ｉ／Ｆ部６にてクライアント装置２の接続ポート７から送信されるデータを受信し、該当の光波長帯域の信号に変換して光波長多重伝送部５に送信する。Ｉ／Ｆ部６は（１）〜（ｎ）のように複数備えることが可能である。光波長多重伝送部５に送信されたデータは、光波長多重伝送部５で光波長分割多重され、光波長多重伝送路９に送信される。図１では、一例として２つの光波長パス１０、１１を代表して記載している。対向の光波長分割多重装置１では、受信した光波長パス１０および光波長パス１１を光波長多重伝送部５にて分離し、それぞれ対象の各Ｉ／Ｆ部６に振り分ける。振り分けられたデータは、各Ｉ／Ｆ部６でクライアント信号に戻され、各Ｉ／Ｆ部６に対向しているクライアント装置２の接続ポート７へと伝送される。
【００２０】
Ｉ／Ｆ部６（１）〜（ｎ）は、クライアント装置２とデータを送受信するインタフェース部であり、データを該当波長の信号に変換するトランスポンダと呼ばれる部分である。Ｉ／Ｆ部６は、１つの光波長分割多重装置１に複数有することが可能であり、図１では（１）〜（ｎ）とｎ個有している表現としている。また図１はＩ／Ｆ部６（１）〜（ｎ）に１つのクライアント装置２内の複数接続ポート７が接続されているが、一般的には接続されるクライアント装置２はそれぞれ別装置でも構わない。
【００２１】
光波長多重伝送部５は、各クライアント装置２からのデータを光波長パスの信号に変換し、光波長分割多重して光波長多重伝送路９に送信する。また、光波長多重伝送路９から光波長分割多重された信号を受信し、光波長パスの信号に分離して復調したデータをクライアント装置２へ転送する。
【００２２】
光波長多重伝送路９は、光波長分割多重装置１同士を接続して光波長多重された信号を送受信するための伝送路（光ファイバケーブル）である。主にＩＴＵ−Ｔ勧告Ｇ．６５２に準拠したシングルモードファイバ（ＳＭＦ）やＧ．６５３に準拠した分散シフトファイバ（ＤＳＦ）を使用する。
【００２３】
光波長パス１０および１１は、クライアント装置２からのそれぞれのクライアント信号に光の波長を割り当て、光波長多重伝送路９を経由して光波長分割多重装置１同士でアッド、ドロップする光信号のパスを表現している。光波長パス１０および１１は異なる波長帯域を使用する。アッド、ドロップの対象となる光波長分割多重装置１の間に他の中継装置が存在していても構わない。
【００２４】
監視制御部４は、Ｉ／Ｆ部６（１）〜（ｎ）を通るデータのフレーム数をカウントしており、トラフィックが予め設定した閾値より減った場合、光波長多重伝送部５の該当信号の波長の光出力（光波長パス１０や１１など）を停止する。そして、管理制御装置３に停止完了通知を行う。さらに該当のＩ／Ｆ部６より対向のクライアント装置２に対して停止制御の信号を送信する。その後、該当トラフィックに関連するＩ／Ｆ部６（１）〜（ｎ）を休止させる。
【００２５】
管理制御装置３に停止完了通知を行った伝送装置１を伝送装置１Ａであると想定する。通知を受信した管理制御装置３は、当該光波長パスの対向の光波長分割多重伝送装置１Ｂに対してその光波長パスの停止処理を指示する。管理制御装置３に光波長パスの停止を指示された伝送装置１Ｂは、光波長多重伝送部５の該当信号の波長の光出力を停止する。そして、管理制御装置３に停止完了通知を行う。管理制御装置３は、停止完了通知を受信したことを記憶し、光波長分割多重伝送システム２０全体の構成や各伝送装置１間で使用している光波長パスなど装置の稼働状況の情報（管理情報）を記憶する。
【００２６】
一方、監視制御部４でカウントされるＩ／Ｆ部６（１）〜（ｎ） を通るデータフレームのトラフィックが予め設定した閾値を越えた場合には、該当の光波長分割多重伝送装置１の監視制御部４から管理制御装置３に再開要求通知を送信して判断を仰ぐ。管理制御装置３は、管理情報から再開要求通知を送信した伝送装置１Ａと対向の伝送装置１Ｂ、およびその間に存在する全ての伝送装置１を検索し、該当光波長パスの使用が他に無ければ、該当の光波長分割多重伝送装置１Ａとその対向にある光波長分割多重伝送装置１Ｂに対して再開許可通知を送信する。
【００２７】
再開要求通知を送信した光波長分割多重伝送装置１Ａとその光波長パスの対向にある光波長分割多重伝送装置１Ｂの監視制御部４は、管理制御装置３から再開許可通知が受信された場合は、光波長多重伝送部５の該当信号の光波長パスの光出力（光波長パス１０や１１など）を再開するように制御を実施する。同時に該当トラフィックに関連するＩ／Ｆ部６（１）〜（ｎ）を再開させる。さらに該当のＩ／Ｆ部６より対向のクライアント装置２に対して出力再開要求の信号を送信する。対向のクライアント装置２より出力再開を受信した光波長分割多重伝送装置１は再開完了通知を管理制御装置３に送信する。管理制御装置３は、再開完了通知を受信したことを記憶し、光波長分割多重伝送システム２０全体の構成や各伝送装置１間で使用している光波長パスなど装置の稼働状況の情報（管理情報）を記憶する。
【００２８】
監視制御部４は、以下の機能を有する。
・ Ｉ／Ｆ部６（１）〜（ｎ）それぞれに流れるデータのトラフィックの閾値を外部入出力Ｉ／Ｆ１２から設定する機能
・ Ｉ／Ｆ部６（１）〜（ｎ）のトラフィック量監視機能
・ 上記２機能による結果の外部入出力Ｉ／Ｆ１２から設定した期間での定期的な比較機能と、比較結果の外部入出力Ｉ／Ｆ１２への出力機能
・ Ｉ／Ｆ部６（１）〜（ｎ）の機能停止／再開制御機能
・ 光波長多重伝送部５で使用される光波長パスの監視制御機能
・ 管理制御装置３への停止完了通知、および再開要求通知、再開完了通知の送信機能
・ 管理制御装置３からの停止要求、再開許可通知の受信機能
・ 上記機能が作動できなかった場合の外部入出力Ｉ／Ｆ１２へのエラー通知送出機能
【００２９】
管理制御装置３は、複数の光波長分割多重装置１を、監視制御部４を通じて管理制御する装置である。システム全体にある複数の光波長分割多重装置１の情報を監視制御部４を通じて管理および制御する。管理制御装置３は以下の情報を記憶し管理する。
・ システム全体に渡る複数の光波長分割多重伝送装置１の監視制御部４からの停止完了通知、および再開要求通知、再開完了通知の受信情報
・ システム全体に渡る複数の光波長分割多重伝送装置１の監視制御部４への停止要求、再開許可通知の送信情報
・ システム全体に渡る複数の光波長分割多重伝送装置１の物理的装置配置情報
・ システム全体に渡る複数の光波長分割多重伝送装置１の光波長パスの設定情報
・ システム全体に渡る複数の光波長分割多重伝送装置１の光波長パスごとの対向装置出力状態
【００３０】
管理制御装置３は、以下の機能を有する。
・ 監視制御部４からの停止完了通知に対し、対象の光波長パスの対向装置を検索し、検索された対向装置へ停止要求の送信する機能
・ 監視制御部４からの再開要求通知に対し、対向する伝送装置１と管理している波長パス情報を検索、該当の領域に他に波長帯域が使用されていない場合は再開許可通知を両対向装置に送信する機能
・ 監視制御部４からの再開完了通知に対し、光波長パス情報を更新して記憶する機能
・ 外部入出力Ｉ／Ｆ１２への装置情報および光波長パス使用状況の通知機能
【００３１】
外部入出力Ｉ／Ｆ１２は、光波長分割多重伝送システム２０を管理するための装置（管理端末）を接続するインタフェースを提供する。管理者は、管理端末から外部入出力Ｉ／Ｆ１２を通じて、光波長分割多重伝送システム２０のさまざまな情報を見ることができる。また、ネットワークの構成や例えば光波長パスの停止または再開を判断する閾値などの設定を行うことができる。
【００３２】
本実施の形態の光波長分割多重伝送システム２０は、図１のように光波長分割多重伝送装置１が対向で接続されている構成に限定されない。図２は、実施の形態に係る光波長分割多重伝送システムの接続形態の例を示すブロック図である。図３は、実施の形態に係る光波長分割多重伝送システムのループ接続の例を示すブロック図である。図２および図３では、クライアント装置２を省略している。本実施の形態の光波長分割多重伝送システム２０の制御方法は、図２のように間に中継装置が入る場合や、図３のようにループ（リング）構成で接続される場合などにも適用することができる。なお、光波長分割多重伝送システム２０における光波長分割多重伝送装置１の台数にも制限はない。
【００３３】
図２および図３の光波長分割多重伝送装置１には、それぞれクライアント装置２が接続される。クライアント装置２は、別の光波長分割多重伝送装置１を含む場合がある。すなわち、光波長分割多重伝送システム２０は、伝送装置をノードとするツリー状または網状のネットワークを構成しうる。光波長パスは任意の２つの伝送装置の間で設定される。伝送装置は、それを起点とする光波長パスをアッド、ドロップし、その他の光波長パスを中継する。１つの光波長パスの途中の伝送装置は、その光波長パスを中継伝送する。
【００３４】
図４は、実施の形態に係る光波長パスを停止する手順を示すシーケンス図である。光波長分割多重伝送装置１の監視制御部４でカウントしているＩ／Ｆ部６（１）〜（ｎ） を通るデータのトラフィックが、予め設定した閾値より減った場合の制御信号のシーケンスの一例を示す。
【００３５】
光波長分割多重伝送装置１の監視制御部４は、Ｉ／Ｆ部６（１）〜（ｎ） を通るデータトラフィックのフレーム数を設定された時間周期で読み出している（シグナルＴ１１）。設定された時間周期のフレーム数は、データのトラフィックを表す。監視制御部４は、読み出したフレーム数を所定の閾値と比較し、閾値より小さくなった場合、光波長停止要求を光波長多重伝送部５に送信する（シグナルＴ１２）。
【００３６】
光波長多重伝送部５は、光波長停止要求を受けると該当の光波長パスを停止し、波長停止完了通知を監視制御部４に送る（シグナルＴ１３）。監視制御部４は該当のＩ／Ｆ部６に対してＩ／Ｆ部出力停止要求を送信する（シグナルＴ１４）。該当のＩ／Ｆ部６は、Ｉ／Ｆ部出力停止要求を受信すると、対向にあるクライアント装置２に対して出力停止要求を送信する（シグナルＴ１５）。
【００３７】
対向のクライアント装置２は接続ポート７にて出力停止要求を受信すると、該当接続ポート７のクライアント信号を停止し、出力停止通知をＩ／Ｆ部６に返信する（シグナルＴ１６）。Ｉ／Ｆ部６は出力停止通知を受信すると機能を休止し、Ｉ／Ｆ部出力停止完了通知を監視制御部４に送信する（シグナルＴ１７）。監視制御部４は、管理制御装置３に対して停止完了通知を送信する（シグナルＴ１８）。
【００３８】
管理制御装置３は、管理データから停止完了通知を受信した装置と該当光波長パスで対向する光波長分割多重伝送装置１を検索する。そして、検索した対向の光波長分割多重伝送装置１に対して停止要求を送信する（シグナルＴ１９）。停止要求を受信した対向の光波長分割多重伝送装置１Ｂは、上述のシグナルＴ１２〜シグナル１７と同様に停止処理を実施する。伝送装置Ｂは、停止完了通知を管理制御装置３に送信する（シグナルＴ２０）。
【００３９】
管理制御装置３は、停止要求を送信した時点で、システム全体のシステム構成情報や波長情報の管理データを更新する。管理データは、外部入出力Ｉ／Ｆ１２にて常に保守者が閲覧可能である。管理制御装置３は、伝送装置Ｂから停止完了通知を受信するのを待たなくてもよい。その場合、伝送装置Ｂは停止完了通知を送信しなくてもよい。
【００４０】
図５は、実施の形態に係る光波長パスを再開する手順を示すシーケンス図である。光波長分割多重伝送装置１の監視制御部４でカウントしているＩ／Ｆ部６（１）〜（ｎ） を通るデータのトラフィックが、予め設定した閾値を越えた場合の制御信号のシーケンスの一例を示す。
【００４１】
光波長分割多重伝送装置１の監視制御部４は、Ｉ／Ｆ部６（１）〜（ｎ） を通るデータトラフィックのフレーム数を設定された時間周期で読み出している（シグナルＴ２１）。設定された時間周期のフレーム数は、データのトラフィックを表す。監視制御部４は、読み出したフレーム数を所定の閾値と比較し、閾値より大きくなった場合、該当の光波長分割多重伝送装置１の監視制御部４から管理制御装置３に該当データの光波長帯域の情報と再開要求通知を送信する（シグナルＴ２２）。
【００４２】
管理制御装置３は、保持している管理情報から再開要求通知を送信した装置と該当光波長パスで対向する光波長分割多重伝送装置１、その間に存在する全ての装置を検索する。該当光波長帯域の使用があれば外部入出力Ｉ／Ｆ１２にて既使用の通知を行い、保守者に連絡が可能とする。該当光波長帯域の使用が無ければ、該当の光波長分割多重伝送装置１Ａとその対向にある光波長分割多重伝送装置１Ｂに対して再開許可通知を送信する（シグナルＴ２３、シグナルＴ２４）。
【００４３】
再開許可通知を受信した該当の光波長分割多重伝送装置１Ａとその該当光波長パスの対向にある光波長分割多重伝送装置１Ｂは以後、後述する同じ再開動作を実施する。監視制御部４は、管理制御装置３から再開許可通知を受信すると、光波長多重伝送部５に波長再開要求を送信する（シグナルＴ２５）。光波長多重伝送部５は該当の光波長（光波長パス１０や１１など）の出力を再開し、波長再開完了通知を監視制御部４に送信する（シグナルＴ２６）。
【００４４】
次に監視制御部４は該当のＩ／Ｆ部６に対してＩ／Ｆ部出力再開要求を送信する（シグナルＴ２７）。該当のＩ／Ｆ部６は、Ｉ／Ｆ部出力再開要求を受信すると送受信機能を再開し、対向にあるクライアント装置２に対して出力再開要求を送信する（シグナルＴ２８）。
【００４５】
対向のクライアント装置２は接続ポート７にて出力再開要求を受信すると、該当接続ポート７のクライアント信号を再開し、出力再開通知をＩ／Ｆ部６に返信する（シグナルＴ２９）。Ｉ／Ｆ部６は出力再開通知を受信するとＩ／Ｆ部出力再開完了通知を監視制御部４に送信する（シグナルＴ３０）。監視制御部４は、管理制御装置３に対して再開完了通知を送信する（シグナルＴ３１）。ここまでの再開動作は、対向の光波長分割多重伝送装置１も同様に実施される。そして、光波長分割多重伝送装置１Ｂは、再開完了通知を管理制御装置３に送信する（シグナルＴ３２）。
【００４６】
管理制御装置３は、対向する光波長分割多重伝送装置１からも同様に再開完了通知が送信されるのを待ち、両装置から再開完了通知が受信されたら、システム全体のシステム構成情報や波長情報の管理データを更新する。管理データは、外部入出力Ｉ／Ｆ１２にて常に保守者が閲覧可能である。上記のシーケンス中に何らかのエラーが発生した場合、該当の光波長分割多重伝送装置１の監視制御部４は外部入出力Ｉ／Ｆ１２にエラーの通知を行い、保守者に連絡が可能とする。
【００４７】
このようにして本実施の形態では、通信データのトラフィック量を監視することによって光波長分割多重伝送装置１の波長帯域を増減させ、該当するトラフィックに関連する装置内機能ブロックの出力を停止／再開する。また該当トラフィックが関連する対向のクライアント装置２にも制御信号を送信することで、クライアント装置２に対しても停止／再開を通知する。その結果、システム全体の省電力化が可能となる。
【００４８】
図６Ａは、実施の形態に係る光波長分割多重伝送装置の光波長パス停止処理の動作の一例を示すフローチャートである。伝送装置１Ａの監視制御部４は、フレーム数を読み出す（ステップＳ１１）。トラフィックが閾値より小さくなければ（ステップＳ１２；ＮＯ）、フレーム数読出を繰り返す。
【００４９】
トラフィックが閾値より小さければ（ステップＳ１２；ＹＥＳ）、そのトラフィックに該当する光波長の出力を停止する（ステップＳ１３）。そして、その光波長パスでデータを送信していたクライアント装置２に、出力停止要求を行う（ステップＳ１４）。次にクライアント装置２に対向するＩ／Ｆ部６の出力を停止し（ステップＳ１５）、停止完了通知を管理制御装置３に送信する（ステップＳ１６）。
【００５０】
図６Ｂは、実施の形態に係る管理制御装置の光波長パス停止処理の動作の一例を示すフローチャートである。管理制御装置３は、光波長分割多重伝送装置１から停止完了通知が送信されるのを待機する（ステップＳ２１；ＮＯ）。光波長分割多重伝送装置１から停止完了通知を受信すると（ステップＳ２１；ＹＥＳ）、その光波長パスで対向する光波長分割多重伝送装置１を検索する（ステップＳ２２）。そして、検索した対向の光波長分割多重伝送装置１に対して光波長停止要求を送信する（ステップＳ２３）。
【００５１】
光波長停止要求を送信した伝送装置から停止完了通知が送信されるのを待って（ステップＳ２４；ＮＯ）、停止完了通知を受信したら（ステップＳ２４；ＹＥＳ）、光波長パス情報を更新する（ステップＳ２５）。図６Ｂでは、管理制御装置３が図４のシグナルＴ２０の停止完了通知を受信する場合を例にしている。
【００５２】
図６Ｃは、実施の形態に係る対向側の光波長分割多重伝送装置の光波長パス停止処理の動作の一例を示すフローチャートである。光波長分割多重伝送装置１（伝送装置Ｂ）は、管理制御装置３から光波長停止要求が送信されるのを待機する（ステップＳ３１；ＮＯ）。管理制御装置３から光波長停止要求を受信すると（ステップＳ３１；ＹＥＳ）、該当する光波長を停止する（ステップＳ３２）。
【００５３】
伝送装置Ｂは、その光波長パスでデータを送信していたクライアント装置２に、出力停止要求を行う（ステップＳ３３）。次にクライアント装置２に対向するＩ／Ｆ部６の出力を停止し（ステップＳ３４）、停止完了通知を管理制御装置３に送信する（ステップＳ３５）。
【００５４】
図７Ａは、実施の形態に係る光波長分割多重伝送装置の光波長パス再開処理の動作の一例を示すフローチャートである。伝送装置１Ａの監視制御部４は、フレーム数を読み出す（ステップＳ４１）。トラフィックが閾値より小さければ（ステップＳ４２；ＮＯ）、フレーム数読出を繰り返す。トラフィックが閾値以上であれば（ステップＳ４２；ＹＥＳ）、管理制御装置３に光波長再開要求を送信する（ステップＳ４３）。
【００５５】
管理制御装置３から再開許可通知が送信されるのを待って（ステップＳ４４；ＮＯ）、再開許可通知を受信したら（ステップＳ４４；ＹＥＳ）、通知された光波長の出力を再開する（ステップＳ４５）。そして、その光波長パスで送信するデータを受信するＩ／Ｆ部６の出力を再開する（ステップＳ４６）。Ｉ／Ｆ部６は、対向するクライアント装置２に、出力再開要求を行う（ステップＳ４７）。監視制御部４は、停止完了通知を管理制御装置３に送信する（ステップＳ４８）。
【００５６】
図７Ｂは、実施の形態に係る管理制御装置３の光波長パス再開処理の動作の一例を示すフローチャートである。管理制御装置３は、光波長分割多重伝送装置１から光波長再開要求が送信されるのを待機する（ステップＳ５１；ＮＯ）。光波長分割多重伝送装置１から光波長再開要求を受信すると（ステップＳ５１；ＹＥＳ）、その伝送装置と対向する伝送装置の間で空いている光波長パスを検索する（ステップＳ５２）。
【００５７】
そして、空いている光波長パスを割り当てて、伝送装置Ａと伝送装置Ｂに対して光波長再開許可通知を送信する（ステップＳ５３）。再開許可通知を送信した伝送装置から再開完了通知が送信されるのを待って（ステップＳ５４；ＮＯ）、再開完了通知を受信したら（ステップＳ５４；ＹＥＳ）、光波長パス情報を更新する（ステップＳ５５）。
【００５８】
図７Ｃは、実施の形態に係る対向側の光波長分割多重伝送装置の光波長パス再開処理の動作の一例を示すフローチャートである。光波長分割多重伝送装置１（伝送装置Ｂ）は、管理制御装置３から再開許可通知が送信されるのを待機する（ステップＳ６１；ＮＯ）。管理制御装置３から再開許可通知を受信すると（ステップＳ６１；ＹＥＳ）、通知された光波長の出力を再開する（ステップＳ６２）。そして、その光波長パスで送信するデータを受信するＩ／Ｆ部６の出力を再開する（ステップＳ６３）。Ｉ／Ｆ部６は、対向するクライアント装置２に、出力再開要求を行う（ステップＳ６４）。監視制御部４は、停止完了通知を管理制御装置３に送信する（ステップＳ６５）。
【００５９】
ただし、上記の動作中に何らかのエラーが発生した場合、該当の光波長分割多重伝送装置１の監視制御部４は外部入出力Ｉ／Ｆ１２にエラーの通知を行い、保守者に連絡が可能とする。
【００６０】
以上説明したように、本願発明においては、以下に記載するような効果を奏する。
第１の効果は管理制御装置３によって複数の光波長分割多重装置のトラフィック量の時間的変化を監視しているので、トラフィック量に合わせて光波長分割多重装置同士で使用する波長帯域を増減して調整する事ができることである。これにより、場所的、時間的に効率よい波長帯域の使用が可能となる。
【００６１】
第２の効果は光波長分割多重装置のトラフィック量の時間的変化を監視しているので、トラフィック量の時間的変化によって該当装置の該当信号処理ブロックの停止／再開を制御する事ができることである。これにより、トラフィックの無い機能ブロックを休止して省電力制御が可能となる。
【００６２】
第３の効果は光波長分割多重装置のトラフィック量により該当信号処理ブロックを休止できるので、休止時に対向にあるクライアント装置２に制御信号を送信することにより対向クライアント装置２も該当信号処理ブロックを休止させる事ができることである。これにより対向装置のトラフィックの無い機能ブロックを休止して省電力制御が可能となる。
上記の実施形態の一部又は全部は、以下の付記のようにも記載されうるが、以下には限られない。
【００６３】
（付記１）
データ送出装置からデータを入力して、入力したデータを光波長パスで伝送する光波長分割多重伝送システムであって、
第１の多重装置は、
前記データ送出装置からデータを入力する入力手段と、
入力したデータを光波長パスで第２の多重装置に送信する第１の伝送手段と、
前記光波長パスで通信するトラフィック量の計測手段と、
前記トラフィック量が予め設定された値より少ない場合に、前記光波長パスの出力を停止する第１の制御手段と、
前記光波長パスの出力を停止した場合に、管理装置に前記光波長パスとは異なる制御通信で該停止したことを通知する通信手段と、を備え、
前記管理装置は、前記第１の多重装置および前記第２の多重装置に前記制御通信で通信する手段を備え、
前記管理装置は、前記第１の多重装置から前記光波長パスの出力を停止したことを通知された場合に、前記第２の多重装置に前記光波長パスの停止を通知し、
前記第２の多重装置は、前記停止の通知を受けた場合に、該当する前記光波長パスで伝送する第２の伝送手段を停止する第２の制御手段を備え、
前記第１の多重装置の通信手段は、前記トラフィック量が設定した値を超えた場合に、前記管理装置に再開要求を通知し、
前記管理装置は、前記再開要求を受信した場合に、空き光波長パスを前記第１の多重装置と前記第２の多重装置に割り当てて、それぞれに割り当てた前記光波長パスの情報を通知し、
前記第１の制御手段および前記第２の制御手段は、割り当てられた前記光波長パスの通信をそれぞれ前記第１の伝送手段および前記第２の伝送手段に開始させ、
前記第１の多重装置の通知手段は、前記光波長パスを再開したことを前記管理装置に通知する、
ことを特徴とする光波長分割多重伝送システム。
【００６４】
（付記２）
前記第１の多重装置は、前記光波長パスの出力を停止した場合に、前記データ送出装置に停止を通知し、前記光波長パスの出力を開始した場合に、前記データ送出装置に光波長パス通信開始を通知する、指示手段を備えることを特徴とする付記１に記載の光波長分割多重伝送システム。
【００６５】
（付記３）
前記第１の多重装置は、前記光波長パスの出力を停止した場合に、前記第１の伝送手段への電力の供給を停止し、
前記第２の多重装置は、前記光波長パスの停止を通知された場合に、前記第２の伝送装置への電力の供給を停止する、
ことを特徴とする付記１または２に記載の光波長分割多重伝送システム。
【００６６】
（付記４）
データ送出装置からデータを入力する入力手段と、
入力したデータを光波長パスで送信する伝送手段と、
前記光波長パスで通信するトラフィック量の計測手段と、
前記トラフィック量が予め設定された値より少ない場合に、前記光波長パスの出力を停止する制御手段と、
前記光波長パスの出力を停止した場合に、管理装置に前記光波長パスとは異なる制御通信で該停止したことを通知する通信手段と、を備え、
前記通信手段は、前記トラフィック量が設定した値を超えた場合に、前記管理装置に再開要求を通知し、
前記制御手段は、前記管理装置から指示された割り当てられた前記光波長パスの通信を開始し、
前記通知手段は、前記光波長パスを再開したことを前記管理装置に通知する、
ことを特徴とする光波長分割多重伝送装置。
【００６７】
（付記５）
前記光波長パスの出力を停止した場合に、前記データ送出装置に停止を通知し、前記光波長パスの出力を開始した場合に、前記データ送出装置に光波長パス通信開始を通知する、指示手段を備えることを特徴とする付記４に記載の光波長分割多重伝送装置。
【００６８】
（付記６）
前記光波長パスの出力を停止した場合に、前記伝送手段への電力の供給を停止することを特徴とする付記４または５に記載の光波長分割多重伝送装置。
【００６９】
（付記７）
データ送出装置からデータを入力して、入力したデータを光波長パスで伝送する光波長分割多重伝送方法であって、
第１の多重装置は、
データ送出装置からデータを入力する入力ステップと、
入力したデータを光波長パスで第２の多重装置に送信する伝送ステップと、
前記光波長パスで通信するトラフィック量の計測ステップと、
前記トラフィック量が予め設定された値より少ない場合に、前記光波長パスの出力を停止する第１の停止ステップと、
前記光波長パスの出力を停止した場合に、管理装置に前記光波長パスとは異なる制御通信で該停止したことを通知する停止通知ステップと、を備え、
前記管理装置は、前記第１の多重装置から前記光波長パスの出力を停止したことを通知された場合に、前記第２の多重装置に前記光波長パスの停止を通知し、
前記第２の多重装置は、前記停止の通知を受けた場合に、該当する前記光波長パスで伝送する第２の伝送手段を停止する第２の停止ステップを備え、
前記第１の多重装置は、前記トラフィック量が設定した値を超えた場合に、前記管理装置に再開要求を通知し、
前記管理装置は、前記再開要求を受信した場合に、空き光波長パスを前記第１の多重装置と前記第２の多重装置に割り当てて、それぞれに割り当てた前記光波長パスの情報を通知し、
前記第１の多重装置および第２の多重装置は、割り当てられた前記光波長パスの通信を開始し、
前記第１の多重装置は、前記光波長パスを再開したことを前記管理装置に通知する、
ことを特徴とする光波長分割多重伝送方法。
【００７０】
（付記８）
前記第１の多重装置は、前記光波長パスの出力を停止した場合に、前記データ送出装置に停止を通知し、前記光波長パスの出力を開始した場合に、前記データ送出装置に光波長パス通信開始を通知する、指示ステップを備えることを特徴とする付記７に記載の光波長分割多重伝送方法。
【００７１】
（付記９）
前記第１の多重装置は、前記光波長パスの出力を停止した場合に、該光波長パスで送信する伝送手段への電力の供給を停止し、
前記第２の多重装置は、前記光波長パスの停止を通知された場合に、該光波長パスで伝送する伝送手段への電力の供給を停止する、
ことを特徴とする付記７または８に記載の光波長分割多重伝送方法。
【符号の説明】
【００７２】
１、１Ａ、１Ｂ  光波長分割多重伝送装置（伝送装置）
２    クライアント装置
３    管理制御装置
４    監視制御部
５    光波長多重伝送部
６    Ｉ／Ｆ部
７    接続ポート
８    クライアント伝送路
９    光波長多重伝送路
１０，１１    光波長パス
１２    外部入出力Ｉ／Ｆ
２０    光波長分割多重伝送システム
【図１】
2011229021.tif 000003
【図２】
2011229021.tif 000004
【図３】
2011229021.tif 000005
【図４】
2011229021.tif 000006
【図５】
2011229021.tif 000007
【図６Ａ】
2011229021.tif 000008
【図６Ｂ】
2011229021.tif 000009
【図６Ｃ】
2011229021.tif 000010
【図７Ａ】
2011229021.tif 000011
【図７Ｂ】
2011229021.tif 000012
【図７Ｃ】
2011229021.tif 000013